(57)【要約】      （修正有）【課題】リムへの取り付けが容易で、かつ耐久性に優れたパッドアームを提供する。【解決手段】鼻当て部１８は、樹脂から形成される筒状部材２１と、金属から形成さればね性を有するパッドアーム２２とを備える。パッドアーム２２の一方の端部２２Ａに鼻当てパッド２３を取り付ける。パッドアーム２２の他方の端部２２Ｂは、筒状部材２１に埋め込まれて一体に成形される。眼鏡のリム１３に金属ピン１６を設ける。筒状部材２１の穴に金属ピン１６を嵌め入れてパッドアーム２２をリム１３に取り付ける。【選択図】図２
2009205104.tif 000002
【特許請求の範囲】
【請求項１】
樹脂から形成される筒状部材と、
一方の端部に鼻当てパッドが取り付けられ、かつ他方の端部が前記筒状部材に埋め込まれて一体に成形されると共に、金属から形成されてばね性を有するパッドアームとを備え、
前記筒状部材の穴に、眼鏡に設けられたピンが嵌め入れられることにより、前記眼鏡に前記パッドアームが取り付けられることを特徴とする眼鏡の鼻当て部。
【請求項２】
前記筒状部材は細長の部材であり、かつ前記筒状部材の穴は前記筒状部材の長手方向に沿って設けられており、
前記筒状部材の長手方向における一方の端面には前記穴の開口が設けられると共に、他方の端面から前記パッドアームが埋め込まれており、
前記ピンは前記開口から穴に嵌め入れられることを特徴とする請求項１に記載の眼鏡の鼻当て部。
【請求項３】
前記穴は、前記筒状部材の他方の端面まで貫通しないように形成されることを特徴とする請求項２に記載の眼鏡の鼻当て部。
【請求項４】
前記他方の端面側から見ると、前記他方の端面における前記パッドアームは、前記穴に重なるように設けられていると共に、
前記パッドアームの他方の端部は、前記穴を避けるように、前記筒状部材の中で曲げられて、前記穴と並べられることを特徴とする請求項３に記載の眼鏡の鼻当て部。
【請求項５】
前記パッドアームの他方の端部は、扁平に押し広げられた形状を呈することを特徴とする請求項１に記載の眼鏡の鼻当て部。
【請求項６】
前記パッドアームの他方の端部は、前記穴と並べられるように設けられ、その並べられる方向における前記パッドアームの厚さが、並べられる方向と直交する方向における厚さより薄くなるように、扁平に形成されることを特徴とする請求項５に記載の眼鏡の鼻当て部。
【請求項７】
前記筒状部材には、前記穴から分岐する横穴が設けられると共に、前記ピンには前記横穴に嵌合されるための突起が設けられていることを特徴とする請求項１に記載の眼鏡の鼻当て部。
【発明の詳細な説明】
【技術分野】
【０００１】
本発明は、パッドアームを眼鏡に容易に取り付けらことができる眼鏡の鼻当て部に関する。
【背景技術】
【０００２】
眼鏡の鼻当て部は、一般的には両レンズのリムからパッドアームが延出され、パッドアームの先端部に鼻当てパッドが取り付けられて構成される。パッドアームは、鼻当てパッドを装着者の鼻スジの幅や角度に合わせるために屈曲または伸縮させられる。特に子供用の眼鏡は、激しい動きの中で使用され、パッドアームに強い力が作用されるので、高い屈曲性が要求される。
【０００３】
通常、パッドアームは、金属から成ると共に、ロー付けや溶接等の熱加工によりリムに固定されているが、上記熱加工により金属の弾力性が失われるので、高い屈曲性を持たせることは困難である。また、このタイプのパッドアームは、強い力が作用されると、応力がリムとの連結部分に集中し、連結部分を起点に破損されやすい傾向にある。さらに、パッドアームが破損された場合、その修理に日数がかかり使用者に不便をかけることになる。
【０００４】
従来、例えば、特許文献１に記載されるように、樹脂によって形成されたパッドアームが知られている。このパッドアームは、一端部に筒部が形成され、その筒部がリムに設けられた金属ピンに被せられて、リムに取り付けられるものである。このようなパッドアームは、リムへの取り替えが容易に行われるため、パッドアームが破損されても、使用者にそれほど不便をかけることはない。また、樹脂で形成されるため、比較的高い屈曲性を持たせることも可能である。
【特許文献１】特許第３８８０９２７号公報
【発明の開示】
【発明が解決しようとする課題】
【０００５】
しかし、特許文献１に記載のパッドアームは、樹脂で形成されているため、大きな力が加えられると、折れやすいという欠点があり、激しい動きの中で使用される場合、交換する頻度が高くなるという問題がある。
【０００６】
そこで、本発明は、上記問題点に鑑みて成されたものであり、高い耐久性及び屈曲性を有し、かつ交換を行いやすいパッドアームを提供することを目的とする。
【課題を解決するための手段】
【０００７】
本発明に係る眼鏡の鼻当て部は、樹脂から形成される筒状部材と、一方の端部に鼻当てパッドが取り付けられ、かつ他方の端部が筒状部材に埋め込まれて一体に成形されると共に、金属から形成されてばね性を有するパッドアームとを備え、筒状部材の穴に、眼鏡に設けられたピンが嵌め入れられることにより、眼鏡にパッドアームが取り付けられることを特徴とする。
【０００８】
筒状部材は例えば細長の部材であり、筒状部材の穴は筒状部材の長手方向に沿って設けられていることが好ましい。このとき、筒状部材の長手方向における一方の端面には穴の開口が設けられると共に、他方の端面からパッドアームが埋め込まれていることが好ましい。ピンは上記開口から穴に嵌め入れられることが好ましい。そして、筒状部材の穴は、筒状部材の他方の端面まで貫通しないように形成されることが好ましい。
【０００９】
ここで、他方の端面側から見ると、その端面におけるパッドアームは、穴に重なっていることが好ましい。そして、パッドアームの他方の端部は、穴を避けるように、筒状部材の中で曲げられて上記穴と並べられることがより好ましい。
【００１０】
パッドアームの他方の端部は、扁平に押し広げられた形状を呈していても良い。この場合、パッドアームの他方の端部は、穴と並べられるように設けられ、その並べられる方向におけるパッドアームの厚さが、並べられる方向と直交する方向における厚さより薄くなるように、扁平に形成されることが好ましい。
【００１１】
筒状部材には、上記穴から分岐する横穴が設けられていても良い。この場合、ピンには横穴に嵌合されるための突起が設けられている。
【発明の効果】
【００１２】
本発明によれば、高い屈曲性及び耐久性を有すると共に、取り付けが容易に行うことができるパッドアームを提供することができる。
【発明を実施するための最良の形態】
【００１３】
以下、本発明の実施形態を図面を参照しつつ説明する。なお、以下の説明では、左右前後は、眼鏡を正面側から見たときの左右前後である。また、眼鏡が装着されたとき、左右方向及び前後方向は水平方向に略平行となり、上下方向は鉛直方向に略平行となる。図１は、本発明の一実施形態に係る眼鏡１０を背面側から見たときの斜視図である。眼鏡１０は、レンズ１１、１２と、レンズ１１、１２を保持する金属製のリム１３、１４と、これらリム１３、１４を連結する金属製のブリッジ１５とを備える。
【００１４】
リム１３、１４のブリッジ１５との連結部分の下側には、リム１３、１４の背面に連結された金属ピン１６、１７が設けられる。金属ピン１６、１７は、上方に向けて延出しており、その先端部に鼻当て部１８、１９が被せられるように取り付けられている。金属ピン１６、１７は剛性があって、ばね性を有しておらず、例えばリム１３、１４と同じ金属で形成され、ロー付けや溶接等によってリム１３、１４に固定される。
【００１５】
次に、図２〜５を用いて本実施形態に係る鼻当て部を詳細に説明する。但し、本実施形態では、鼻当て部１９は鼻当て部１８と同じ構成を有するのでその説明を省略する。図２に示すように、鼻当て部１８は、樹脂から形成される筒状部材２１と、筒状部材２１に接続されるパッドアーム２２と、パッドアーム２２の一方の端部２２Ａに取り付けられ、使用者の鼻筋に当接される鼻当てパッド２３とを備える。
【００１６】
図３、４に示すように、筒状部材２１は細長の部材であって、上下に長く延び、筒状部材２１の穴２４は、長手方向における一方の端面（下面）２１Ｄに開口されている。穴２４は、筒状部材２１の長手方向に沿って、下面２１Ｄから、筒状部材２１の長手方向における中心位置２１Ｃを通り過ぎて、他方の端面（上面）２１Ｕの近傍まで延びているが、上面２１Ｕまでは貫通していない。穴２４は、図４に示すように正面側から見たとき、その中央部が筒状部材２１の中央部から右側にずらされている。筒状部材２１には穴２４から横（本実施形態では前方）に分岐して、筒状部材２１の前面２１Ｆに開口された横穴２５が設けられる。
【００１７】
図３に示すように、パッドアーム２２は略断面円形の線状の金属材が折り曲げられＵ字状に湾曲されて、両端部２２Ａ、２２Ｂが下向けに延ばされている。パッドアーム２２は、チタン合金、ステンレスばね材等の合金で形成され、ばね性を有している。パッドアーム２２の一方の端部２２Ａは上方向に向けてさらに屈曲され、屈曲部２２Ｃが形成される。屈曲部２２Ｃの内部には、図２に示すようにパッド２３に設けられた突起３１が嵌められ、これにより、パッド２３がパッドアーム２２に取り付けられる。
【００１８】
パッドアーム２２の他方の端部２２Ｂは、筒状部材２１に埋め込まれて筒状部材２１と一体に成形される。図４、５に示すように、上面２１Ｕ側から見ると、パッドアーム２２の他方の端部２２Ｂは、上面２１Ｕにおいて穴２４に重なるように設けられると共に、筒状部材２１の中で、穴２４を避けるように左側に曲げられている。すなわち、パッドアーム２２の端部２２Ｂは、筒状部材２１の上面２１Ｕの中央部から筒状部材２１の内部に埋め込まれた後左側にずらされており、そのずらされた部分が、正面側から見ると穴２４と左右に並べられることになる。他方の端部２２Ｂの左側にずらされた部分は、扁平に押し広げられた形状を呈しており、その左右方向における厚さが、前後方向（すなわち、左右方向に直交する方向）における厚さより短くなる。なお、パッドアーム２２のずらされた部分は、筒状部材２１の内部において、中心位置２１Ｃを通り過ぎて下面２１Ｄの近傍まで、筒状部材２１の長手方向に沿って延ばされている。
【００１９】
筒状部材２１は、穴２４の内部に金属ピン１６が嵌め入れられることによって、金属ピン１６に取り付けられる。図２に示すように、金属ピン１６の側面には、横穴２５に対応した位置に突起２６が設けられており、金属ピン１６が穴２４に嵌め入れられると、突起２６が横穴２５に嵌合することとなる。突起２６と横穴２５の嵌合により、金属ピン１６から筒状部材２１が抜け落ちることが防止される。
【００２０】
なお、本実施形態では、例えば、他方の端部２２Ｂが曲げられ、かつ扁平にされたパッドアーム２２が、金型の内部に配置された状態で、金型に樹脂が流し込まれた後、その樹脂が硬化されて、穴２４を有する筒状部材２１が成形される。
【００２１】
以上のように本実施形態におけるパッドアーム２２は、ばね性を有し、大きな力が作用されても、容易に復元することができるため、形状安定性に優れる。またパッドアーム２２は、ばね性のある金属で形成されるため、大きな力が作用されても破損されにくい。一方、鼻当てパッド２３から鼻当て部１８に作用された力は、湾曲されたパッドアーム２２によって吸収され、筒状部材２１や金属ピン１６にはあまり作用されず、これにより、筒状部材２１や金属ピン１６が破損されることも防止される。また、本実施形態では、金属ピン１６を筒状部材２１の穴２４に嵌め入れることのみによって、鼻当て部１８をリム１３に取り付けることができるので、鼻当て部１８の交換を容易に行うことができる。
【００２２】
なお、本実施形態では、パッドアーム２２の他方の端部２２Ｂは、上面２１Ｕの中央から筒状部材２１の中に埋められているので、筒状部材２１に安定して固定される。さらに、パッドアーム２２の他方の端部２２Ｂは、扁平に形成されているため、筒状部材２１の内部で回転することが防止される。また、他方の端部２２Ｂは、中央からずらされると共に、扁平に成形されることによって、筒状部材１８の狭いスペースにおいて穴２４と並ぶことができる。なお、パッドアーム２２の他方の端部２２Ｂは、穴２４の左側に配置されたが、穴２４の右側、前方、又は後方に配置されても良い。
【図面の簡単な説明】
【００２３】
【図１】本発明の一実施形態に係る鼻当て部が適用された眼鏡を背面から見た斜視図である。
【図２】本発明の一実施形態に係る鼻当て部が適用された眼鏡を横から見たときの側面図である。
【図３】鼻当て部を横から見たときの側面図である。
【図４】鼻当て部を正面から見たときの正面図である。
【図５】鼻当て部を下方から見たときの下面図である。
【符号の説明】
【００２４】
１０  眼鏡
１６、１７  金属ピン
１８、１９  鼻当て部
２１  筒状部材
２２  パッドアーム
２２Ａ  パッドアームの一方の端部
２２Ｂ  パッドアームの他方の端部
２４  穴
２５  横穴
２６  突起
【図１】
2009205104.tif 000003
【図２】
2009205104.tif 000004
【図３】
2009205104.tif 000005
【図４】
2009205104.tif 000006
【図５】
2009205104.tif 000007